(57)【特許請求の範囲】
【請求項１】
複数のディジタルオーディオ信号からそれぞれ変換された複数のＰＤＭ信号を加算する加算手段と、
上記加算手段から出力されるディジタルオーディオ信号をアナログオーディオ信号にＤＡ変換して出力するＤＡ変換手段とを備え、
上記加算手段はアナログ加算器であり、
上記ＤＡ変換手段は、
複数の第１のキャパシタと複数の第１の抵抗とで構成されたローパスフィルタと、
第１のオペアンプを含み、所定電圧と上記第１のオペアンプの出力とに基づいて、基準電圧を発生する基準電圧発生回路と、
第２のオペアンプの入力端子と出力端子との間に第２のキャパシタ及び第２の抵抗が接続された第２のオペアンプを含み、上記ローパスフィルタからの出力と上記基準電圧発生回路からの基準電圧に基づいて、差動型積分及び比較を行う差動型積分器及び比較器を構成する回路とを備えたことを特徴とするオーディオミキシング装置。
【請求項２】
請求項１記載のオーディオミキシング装置を備えたことを特徴とする電子機器。
【請求項３】
加算器が、複数のディジタルオーディオ信号からそれぞれ変換された複数のＰＤＭ信号を加算するステップと、
ＤＡ変換器が、上記加算器から出力されるディジタルオーディオ信号をアナログオーディオ信号にＤＡ変換して出力するステップとを含み、
上記加算器はアナログ加算器であり、
上記ＤＡ変換器は、
複数の第１のキャパシタと複数の第１の抵抗とで構成されたローパスフィルタと、
第１のオペアンプを含み、所定電圧と上記第１のオペアンプの出力とに基づいて、基準電圧を発生する基準電圧発生回路と、
第２のオペアンプの入力端子と出力端子との間に第２のキャパシタ及び第２の抵抗が接続された第２のオペアンプを含み、上記ローパスフィルタからの出力と上記基準電圧発生回路からの基準電圧に基づいて、差動型積分及び比較を行う差動型積分器及び比較器を構成する回路とを備えたことを特徴とするオーディオミキシング方法。
【発明の詳細な説明】
【技術分野】
【０００１】
本発明は、複数のディジタルオーディオ信号をミキシングしかつディジタル／アナログ変換（以下、ＤＡ変換という。）して出力するオーディオミキシング装置及び方法、並びに当該オーディオミキシング装置を備えた電子機器に関する。
【背景技術】
【０００２】
ディジタルオーディオデータをミキシングしかつＤＡ変換して出力するオーディオミキシング装置が、例えば特許文献１において開示されている。本明細書において、オーディオデータ又はオーディオ信号は音声及び／又は音楽などを含む低周波のデータ又は信号をいう。
【０００３】
図３は従来技術に係るオーディオミキシング装置の構成を示すブロック図である。図３において、ＰＤＭ（Pulse Density Modulation）信号発生器１，２，３はそれぞれ、入力されるディジタルオーディオ信号Ｓ１，Ｓ２，Ｓ３をΔ−Σ変調することによりＰＤＭ信号Ｐ１，Ｐ２，Ｐ３を発生してそれぞれＤＡ変換器１１，１２，１３に出力する。ＤＡ変換器１１，１２，１３はそれぞれ、入力されたＰＤＭ信号Ｐ１，Ｐ２，Ｐ３をアナログオーディオ信号Ａ１，Ａ２，Ａ３にＤＡ変換して加算器１４に出力する。加算器１４は入力される３つのアナログオーディオ信号Ａ１，Ａ２，Ａ３を加算して、加算後のミキシングされたアナログオーディオ信号Ａ１０を出力する。
【発明の概要】
【発明が解決しようとする課題】
【０００４】
この従来技術に係るオーディオミキシング装置では、ミキシングするオーディオデータの数と、同じ数のＤＡ変換器が必要となり、装置の大規模化、消費電力が大きい等の課題があった。
【０００５】
本発明の目的は以上の問題点を解決し、従来技術に比較して構成が簡単であって、消費電力を軽減できるオーディオミキシング装置及び方法、並びに当該オーディオミキシング装置を備えた電子機器を提供することにある。
【課題を解決するための手段】
【０００６】
第１の発明に係るオーディオミキシング装置は、
複数のディジタルオーディオ信号からそれぞれ変換された複数のＰＤＭ信号を加算する加算手段と、
上記加算手段から出力されるディジタルオーディオ信号をアナログオーディオ信号にＤＡ変換して出力するＤＡ変換手段とを備え、
上記加算手段はアナログ加算器であり、
上記ＤＡ変換手段は、
複数の第１のキャパシタと複数の第１の抵抗とで構成されたローパスフィルタと、
第１のオペアンプを含み、所定電圧と上記第１のオペアンプの出力とに基づいて、基準電圧を発生する基準電圧発生回路と、
第２のオペアンプの入力端子と出力端子との間に第２のキャパシタ及び第２の抵抗が接続された第２のオペアンプを含み、上記ローパスフィルタからの出力と上記基準電圧発生回路からの基準電圧に基づいて、差動型積分及び比較を行う差動型積分器及び比較器を構成する回路とを備えたことを特徴とする。
【０００８】
第２の発明に係る電子機器は、上記オーディオミキシング装置を備えたことを特徴とする。
【０００９】
第２の発明に係るオーディオミキシング方法は、
加算器が、複数のディジタルオーディオ信号からそれぞれ変換された複数のＰＤＭ信号を加算するステップと、
ＤＡ変換器が、上記加算器から出力されるディジタルオーディオ信号をアナログオーディオ信号にＤＡ変換して出力するステップとを含み、
上記加算器はアナログ加算器であり、
上記ＤＡ変換器は、
複数の第１のキャパシタと複数の第１の抵抗とで構成されたローパスフィルタと、
第１のオペアンプを含み、所定電圧と上記第１のオペアンプの出力とに基づいて、基準電圧を発生する基準電圧発生回路と、
第２のオペアンプの入力端子と出力端子との間に第２のキャパシタ及び第２の抵抗が接続された第２のオペアンプを含み、上記ローパスフィルタからの出力と上記基準電圧発生回路からの基準電圧に基づいて、差動型積分及び比較を行う差動型積分器及び比較器を構成する回路とを備えたことを特徴とする。
【発明の効果】
【００１０】
従って、本発明に係るオーディオミキシング装置及び方法、並びに当該オーディオミキシング装置を備えた電子機器によれば、１つのＤＡ変換手段のみで構成できるために、従来技術に比較して構成が簡単であって、消費電力を軽減できるオーディオミキシング装置及び方法、並びに当該オーディオミキシング装置を備えた電子機器を提供できる。
【図面の簡単な説明】
【００１１】
【図１】本発明の実施形態に係るオーディオミキシング装置の構成を示すブロック図である。
【図２】図１のアナログ加算器４及びＤＡ変換器５の詳細構成を示すブロック図である。
【図３】従来技術に係るオーディオミキシング装置の構成を示すブロック図である。
【発明を実施するための形態】
【００１２】
以下、本発明に係る実施形態について図面を参照して説明する。なお、以下の各実施形態において、同様の構成要素については同一の符号を付している。
【００１３】
図１は本発明の実施形態に係るオーディオミキシング装置の構成を示すブロック図である。本実施形態に係るオーディオミキシング装置は、図３の従来技術に係るオーディオミキシング装置に比較して、ＰＤＭ信号発生器１，２，３の後段に、アナログ加算器４及びＤＡ変換器５の順序で信号処理することを特徴としている。
【００１４】
図１において、ＰＤＭ信号発生器１，２，３はそれぞれ、入力されるディジタルオーディオ信号Ｓ１，Ｓ２，Ｓ３をΔ−Σ変調することによりＰＤＭ信号Ｐ１，Ｐ２，Ｐ３を発生してアナログ加算器４に出力する。ここで、ディジタルオーディオ信号Ｓ１，Ｓ２，Ｓ３は、例えば１６ビット〜２４ビットのリニアＰＣＭ信号、もしくは、８ビットＡ−ｌａｗ信号又は８ビットμ−ｌａｗ信号である。また、ＰＤＭ信号発生器１，２，３は例えば入力信号のインターポレーション機能と、インターポレーションされた信号をΔ−Σ変調するΔ−Σ変調機能とを含むが、後者の機能のみを備えてもよい。また、ＰＤＭ信号を記録媒体に記録しているような場合（例えば、スーパーオーディオＣＤ（ＳＡＣＤ）の場合）のオーディオ信号の再生においては、ＰＤＭ信号発生器１，２，３が不要となり、オーディオ信号としては、複数のＰＤＭ信号がそれぞれアナログ加算器４に入力される。
【００１５】
次いで、アナログ加算器４は入力される３つのＰＤＭ信号Ｐ１，Ｐ２，Ｐ３をアナログ加算して、加算結果のＰＤＭ信号Ｐ１０をＤＡ変換器５に出力する。ＤＡ変換器５は入力されたＰＤＭ信号Ｐ１０をアナログオーディオ信号Ａ１０にＤＡ変換して出力する。
【００１６】
図２は図１のアナログ加算器４及びＤＡ変換器５の詳細構成を示すブロック図である。図２において、Ｔ１はＰＤＭ信号Ｐ１の入力端子であり、Ｔ２はＰＤＭ信号Ｐ２の入力端子であり、Ｔ３はＰＤＭ信号Ｐ３の入力端子である。Ｔ４はアナログオーディオ信号Ａ１０の出力端子であり、Ｔ５は基準電圧入力端子である。
【００１７】
図２において、アナログ加算器４は、３個のインバータＶ１，Ｖ２，Ｖ３と、６個の抵抗Ｒ１１，Ｒ１２，Ｒ２１，Ｒ２２，Ｒ３１，Ｒ３２とを備えて構成され、入力される３つのＰＤＭ信号Ｐ１，Ｐ２，Ｐ３をアナログ加算するとともに、その反転信号を発生して、アナログ加算されたＰＤＭ信号とその反転信号からなる差動ＰＤＭ信号を発生する。また、ＤＡ変換器５は、
（ａ）４個のキャパシタＣ１〜Ｃ４と、２個の抵抗Ｒ３１，Ｒ３２とからなるローパスフィルタ５Ａと、
（ｂ）オペアンプＯＰ２と、抵抗Ｒ５２と、キャパシタＣ６とからなる基準電圧発生回路５Ｂと、
（ｃ）オペアンプＯＰ１と、抵抗Ｒ４１，Ｒ４２，Ｒ５１と、キャパシタＣ５とからなる差動型積分器及び比較器を含む回路５Ｃと
を備えて構成される。
【００１８】
以上のように構成されたオーディオミキシング装置によれば、１つのＤＡ変換器５のみで構成できるために、従来技術に比較して構成が簡単であって、消費電力を軽減できるオーディオミキシング装置を実現できる。
【００１９】
以上の実施形態においては、オーディオミキシング装置について説明しているが、本発明はこれに限らず、当該オーディオミキシング装置を例えば携帯電話機などの電子機器などに装備して構成してもよい。
【００２０】
以上の実施形態においては、３つのオーディオ信号を加算するアナログ加算器４について説明しているが、加算するオーディオ信号の個数についてはこれに限らず、２つ又は４つ以上の複数であってもよい。
【産業上の利用可能性】
【００２１】
以上詳述したように、本発明に係るオーディオミキシング装置及び方法、並びに当該オーディオミキシング装置を備えた電子機器によれば、１つのＤＡ変換手段のみで構成できるために、従来技術に比較して構成が簡単であって、消費電力を軽減できるオーディオミキシング装置及び方法、並びに当該オーディオミキシング装置を備えた電子機器を提供できる。
【符号の説明】
【００２２】
１，２，３…ＰＤＭ信号発生器、
４…アナログ加算器、
５…ＤＡ変換器、
５Ａ…ローパスフィルタ。
【先行技術文献】
【特許文献】
【００２３】
【特許文献１】特開２００７−１４２９９６号公報
【図１】
0005764966.tif 000002
【図２】
0005764966.tif 000003
【図３】
0005764966.tif 000004